(57)【要約】【課題】巻尺の検尺テープに取り付けられ、例えば、球体の直径など、巻尺を用いた２点間距離の測定を補助し、かつ、小型で容易に持ち運びできる巻尺用距離測定補助具を得る。【解決手段】巻尺の検尺テープ４に着脱自在に取り付けられ、検尺テープ４に対して突出する測定当接部２５をそれぞれ有し、測定当接部２５を検尺テープ４の長手方向に相対させて配置される一対のテープ取付体１１Ａ，１１Ｂを備え、検尺テープ４の長手方向に相対する一対の測定当接部２５の互いに相対する端部が、基準面２５ａとして構成され、一対のテープ取付体１１Ａ，１１Ｂは、検尺テープ４の長手方向にスライド可能に、かつ、基準面２５ａの位置に対応する検尺テープ４の部位に記された検尺テープ４の寸法目盛り６を読み取り可能に検尺テープ４に取り付けられている。【選択図】図１０
2012172998.tif 000002
【特許請求の範囲】
【請求項１】
寸法目盛りが記され、巻尺の検尺テープに取り付けられて、上記巻尺を用いた被測定対象物の２点間の距離の測定を補助する巻尺用距離測定補助具であって、
上記検尺テープに着脱自在に取り付けられ、上記検尺テープに対して突出する測定当接部をそれぞれ有し、上記測定当接部を上記検尺テープの長手方向に相対させて配置される一対のテープ取付体を備え、
上記検尺テープの長手方向に相対する一対の上記測定当接部の互いに相対する端部が、基準当接部として構成され、
一対の上記テープ取付体は、上記検尺テープの長手方向にスライド可能に、かつ、上記基準当接部の位置に対応する上記検尺テープの部位に記された上記寸法目盛りを読み取り可能に上記検尺テープに取り付けられていることを特徴とする巻尺用距離測定補助具。
【請求項２】
一対の上記テープ取付体のそれぞれは、上記測定当接部の上記検尺テープの長手方向に沿った方向の一端及び他端を入れ替え可能に上記検尺テープに取り付けられていることを特徴とする請求項１に記載の巻尺用距離測定補助具。
【請求項３】
一対の上記テープ取付体のそれぞれは、第１コネクタ部、上記第１コネクタ部との間に上記検尺テープを挟み込んで、着脱自在に上記第１コネクタ部に取り付けられる第２コネクタ部を有し、上記検尺テープに沿った方向にスライド可能なスライド取付部を備え、
上記測定当接部は、上記第１及び第２コネクタ部の一方に取り付けられていることを特徴とする請求項１または請求項２に記載の巻尺用距離測定補助具。
【請求項４】
寸法目盛りが記され、巻尺の検尺テープに取り付けられて、上記巻尺を用いた被測定対象物の２点間の距離の測定を補助する巻尺用距離測定補助具であって
それぞれ、上記検尺テープに取り付けられ、上記検尺テープに対して突出する測定当接部を有し、上記測定当接部を上記検尺テープの長手方向に相対させて配置される一対のテープ取付体を備え、
上記検尺テープの長手方向に相対する一対の上記測定当接部の互いに相対する端部が、基準当接部として構成され、
一対の上記テープ取付体のうち、上記検尺テープの先端から離れた側に上記検尺テープに取り付けられる上記テープ取付体が、上記検尺テープの長手方向にスライド可能に構成され、かつ、一対の上記テープ取付体は、上記基準当接部のそれぞれの位置に対応する上記検尺テープの部位に記された上記寸法目盛りを読み取り可能に上記検尺テープに取り付けられていることを特徴とする巻尺用距離測定補助具。
【請求項５】
もう一対の基準当接部が、上記一対の測定当接部の互いに相反する側の端部に設けられて、上記もう一対の基準当接部のそれぞれの位置に対応する上記検尺テープの部位に記された上記寸法目盛りを読み取り可能であることを特徴とする請求項４に記載の巻尺用距離測定補助具。
【発明の詳細な説明】
【技術分野】
【０００１】
この発明は、巻尺に取り付けられ、巻尺を用いて２点間の距離を測定するのを補助する巻尺用距離測定補助具に関する。
【背景技術】
【０００２】
例えば、円柱体や球体の直径を測定するのに、しばしばノギスが従来から利用されている。一般的なノギスは、寸法目盛りが記された長尺板状の本尺と、本尺に対して本尺の長手方向にスライド自在に設けられるスライダと、本尺に固定される第１ジョウと、第１ジョウと相対するようにスライダに固定され、スライダのスライド移動により、第１ジョウに接近または離間する方向に移動する第２ジョウと、を備えている（例えば、特許文献１参照）。
【０００３】
そして、円柱体の直径の測定は、円柱の外周面の所定部位を、第１及び第２ジョウで挟み込み、このときの寸法目盛りを読み込むことで行われる。
【先行技術文献】
【特許文献】
【０００４】
【特許文献１】特開平６−３０７８０２号公報
【発明の概要】
【発明が解決しようとする課題】
【０００５】
しかしながら、大きな円柱体の直径を測定する場合には、大型のノギスが必要となり、持ち運びに不便であり、作業者の負担が増大する。
【０００６】
この発明は上記の課題を解決するためになされたものであり、巻尺の検尺テープに取り付けられ、例えば、被測定対象物としての球体の直径など、巻尺を用いて２点間の距離を測定するのを補助し、容易に持ち運びできる巻尺用距離測定補助具を得ることを目的とする。
【課題を解決するための手段】
【０００７】
この発明は、寸法目盛りが記され、巻尺の検尺テープに取り付けられて、巻尺を用いた被測定対象物の２点間の距離の測定を補助する巻尺用距離測定補助具であって、検尺テープに着脱自在に取り付けられ、検尺テープに対して突出する測定当接部をそれぞれ有し、測定当接部を検尺テープの長手方向に相対して配置される一対のテープ取付体を備え、検尺テープの長手方向に相対する一対の測定当接部の互いに相対する端部が、基準当接部として構成され、一対のテープ取付体は、検尺テープの長手方向にスライド可能に、かつ、基準当接部の位置に対応する検尺テープの部位に記された寸法目盛りを読み取り可能に検尺テープに取り付けられている。
【発明の効果】
【０００８】
この発明に係る巻尺用距離測定補助具を用いれば、被測定対象物に、一対のテープ取付体の基準当接部を当接させたときに読み取った検尺テープの寸法目盛りの値の差が、被測定対象物の所定の２点間の距離となる。検尺テープは、巻回されてコンパクトに収納可能であり、また、巻尺用距離測定補助具を構成する一対のテープ取付体も、検尺テープにスライド可能に取り付けられるものであればよく、簡易な構成で小型に作製可能である。
このため、被測定対象物が大きくても、いずれもコンパクトな巻尺と巻尺用距離測定補助具を用いて被測定対象物の所定の２点間距離を測定可能である。従って、被測定対象物の２点間距離を測定する際、巻尺用距離測定補助具や、巻尺用測定補助具が取り付けられう巻尺の持ち運びに要する作業者の労力を著しく軽減できる。
【図面の簡単な説明】
【０００９】
【図１】巻尺の側面図である。
【図２】図１のＡ部斜視図である。
【図３】この発明の一実施の形態に係る巻尺用距離測定補助具の斜視図である。
【図４】この発明の一実施の形態に係る巻尺用距離測定補助具のテープ取付体の分解正面図である。
【図５】この発明の一実施の形態に係る巻尺用距離測定補助具のテープ取付体を構成する第１コネクタ部の上面図である。
【図６】この発明の一実施の形態に係る巻尺用距離測定補助具のテープ取付体を構成する第１コネクタ部の側面図である。
【図７】この発明の一実施の形態に係る巻尺用距離測定補助具のテープ取付体を構成する第２分割テープ取付体の上面図である。
【図８】この発明の一実施の形態に係る巻尺用距離測定補助具のテープ取付体を構成する第２分割テープ取付体の側面図である。
【図９】図３のＩＸ−ＩＸ矢視断面図である。
【図１０】この発明の一実施の形態に係る巻尺用距離測定補助具と巻尺を用いて球体の直径を測定する方法を説明する図である。
【発明を実施するための形態】
【００１０】
以下、この発明を実施するための最良の形態について、図面を参照して説明する。
【００１１】
まず、巻尺用距離測定補助具の説明に先立って、巻尺の構造について説明する。
図１は巻尺の側面図、図２は図１のＡ部斜視図である。
【００１２】
図１及び図２において、巻尺１は、コンベックスと呼ばれている小型のものであり、ケース２と、ケース２の内部に軸周りに回転自在に支持される巻き取りドラム３と、巻取りドラム３に巻回されて一端側がケース２の外部に配置され、一端からの長さを表示する寸法目盛り６が一面に付された検尺テープ４と、を備えている。なお、検尺テープ４は、その一面と相対する側から見て所定の幅を有している。
【００１３】
また、検尺テープ４の長手方向の一端には、検尺テープ４の他面から突出する爪部５が取り付けられている。
また、検尺テープ４は、一面と相対する側から見たときの検尺テープ４の幅方向の両端間を湾曲させて作製されている。このとき、検尺テープ４の湾曲方向の中心が、湾曲方向の両端を結ぶ直線に対して最も突出されており、検尺テープ４の湾曲方向の両端間を結ぶ線分は、所定の曲率半曲を有している。
【００１４】
周知の技術であるので、詳細には図示しないが、検尺テープ４は、所望の長さだけ引出可能であるとともに、図示しないゼンマイばねのばね力により、引き出された検尺テープ４は、再度巻き取りドラム３に巻き取り可能に構成されている。
【００１５】
ついで、巻尺用距離測定補助具の構成について説明する。
図３はこの発明の一実施の形態に係る巻尺用距離測定補助具の斜視図、図４はこの発明の一実施の形態に係る巻尺用距離測定補助具のテープ取付体の分解正面図、図５はこの発明の一実施の形態に係る巻尺用距離測定補助具のテープ取付体を構成する第１コネクタ部の上面図、図６はこの発明の一実施の形態に係る巻尺用距離測定補助具のテープ取付体を構成する第１コネクタ部の側面図、図７はこの発明の一実施の形態に係る巻尺用距離測定補助具のテープ取付体を構成する第２分割テープ取付体の上面図、図８この発明の一実施の形態に係る巻尺用距離測定補助具のテープ取付体を構成する第２分割テープ取付体の側面図、図９は図３のＩＸ−ＩＸ矢視断面図である。
【００１６】
図３〜図８において、巻尺用距離測定補助具１０は、例えば、塩化ビニル樹脂を材料とする第１及び第２のテープ取付体１１Ａ，１１Ｂにより構成される。
第１及び第２テープ取付体１１Ａ，１１Ｂは、同じ構成を有している。
【００１７】
第１テープ取付体１１Ａは、第１分割テープ取付体としての第１コネクタ部１２と、第１コネクタ部１２に嵌め合わされる第２コネクタ部２１、及び第２コネクタ部２１から延出される測定当接部２５を有する第２分割テープ取付体２０と、を備えている。
【００１８】
第１コネクタ部１２は、図４〜図６に示されるように、中央部に計測用穴１３ａが形成され、矩形形状の外形を有する第１ベース１３と、第１ベース１３の長手方向の両側から、第１ベース１３の短手方向の全域に亘って、第１ベース１３に垂直に突出される一対の側片１４と、を備え、図４に示されるように、第１ベース１３と一対の側片１４とで凹部１５が形成される。側片１４は弾性変形可能な厚さに作製されている。
【００１９】
第１ベース１３の一面は、凹部１５の底部外壁面を構成している。また、第１ベース１３の他面は、第１ベース１３の長手方向の中心において最も突出する凸面１３ｂを有している。凸面１３ｂの湾曲方向の両端間を結ぶ線分の曲率半径は、検尺テープ４の他面の湾曲方向の両端間を結ぶ線分の曲率半径に一致されている。これにより、検尺テープ４の一面に、第１ベース１３の他面を沿わせて、検尺テープ４の一面側に、第１ベース１３を配置させることが可能となる。また、凸面１３ｂの湾曲方向の長さは、検尺テープ４の湾曲方向の両端間の長さより僅かに長くなっている。
【００２０】
また、計測用穴１３ａは、概略矩形形状に開口し、長手方向を第１ベース１３の長手方向に一致させて形成されている。
また、一対の側片１４の所定の部位には、矩形形状の嵌合穴１４ａが穿設されている。
嵌合穴１４ａは、その長手方向を第１ベース１３の短手方向に平行にして形成されている。
【００２１】
また、第１ベース１３の一面には、第１ベース１３の長手方向に長さ方向の一致する読み取り基準線１６が、第１ベース１３の両短辺の長手方向の中心の部位から計測用穴１３ａに至るように記されている。
【００２２】
次いで、第２分割テープ取付体２０について説明する。
第２コネクタ部２１は、厚み方向から見た外形形状が、第１コネクタ部１２の一対の側片１４間の距離に合致する長さの長辺と、第１ベース１３の短辺の長さと同じ長さの短辺とからなる矩形形状のブロック体で構成される第２ベース２２、及び第２ベース２２の長手方向の両側面から突出される一対の嵌合凸部２３を有する。
以下、第２ベース２２を厚み方向から見たときの第２ベース２２の長辺及び短辺の長さ方向を第２ベース２２の長手方向及び短手方向とする。
【００２３】
第２ベース２２の厚み方向の一面側には、凹部２２Ａが短手方向に溝方向を一致させて形成されている。このとき、凹部２２Ａの底面（以下、凹面とする）の湾曲方向の両端間を結ぶ線分の曲率半径は、検尺テープ４の一面の湾曲方向の両端間を結ぶ線分の曲率半径に一致されている。これにより、検尺テープ４の他面に第２ベース２２の一面を沿わせて、検尺テープ４の他面側に第２ベース２２を配置させることが可能となる。また、凹部２２Ａの湾曲方向の長さは、検尺テープ４の湾曲方向の両端間の長さより僅かに長くなっている。また、第２ベース２２の一面の長手方向の両端と、凹部２２Ａの湾曲方向の両端との間には、検尺テープ４の厚み相当する段差が形成されている。
【００２４】
また、嵌合凸部２３は、第２ベース２２からの突出方向に垂直な断面が矩形形状であり、第２ベース２２の厚み方向に関し、基端から先端に向かって漸次幅の狭くなるテーパ状に形成されている。
【００２５】
そして、嵌合凸部２３の基端側の外形は、嵌合穴１４ａの内形に合致しており、嵌合凸部２３は、嵌合穴１４ａに嵌め合わせ可能になっている。
【００２６】
また、測定当接部２５は、概略所定の幅で所定の厚みを有する長尺平板状に形成され、幅方向の一端面が基準当接部としての基準面２５ａを構成している。
測定当接部２５は、第２ベース２２の他面から垂直に突出するように第２ベース２２に固定されている。このとき、測定当接部２５の幅方向が、第２ベース２２の短手方向に一致し、基準面２５ａが、第２ベース２２の短手方向の中心に位置している。
【００２７】
以上のように構成された第１分割テープ取付体としての第１コネクタ部１２と第２分割テープ取付体２０は、第１ベース１３の凸面１３ｂに第２ベース２２の凹面を相対させ、第２コネクタ部２１が第１コネクタ部１２の凹部１５に挿入される方向に互いの間を押し込むことで図９に示されるように嵌合して、一体化される。
そして、後述するように第１コネクタ部１２と第２コネクタ部２１は、検尺テープ４の長手方向にスライド自在に検尺テープ４に取り付けられるスライド取付部３０を構成する。
【００２８】
即ち、第２コネクタ部２１が、その凹面側から第１コネクタ部１２の凹部１５に所定量挿入されると、嵌合凸部２３が側片１４の先端に当接する。この状態からさらに、第２コネクタ部２１を凹部１５に挿入させると、嵌合凸部２３は、凹部１５への第２コネクタ部２１の挿入方向に関して、漸次幅狭となっているので、両側片１４を互いの間の距離が離れる方向に弾性変形させながら、第２コネクタ部２１が凹部１５に挿入される。
【００２９】
嵌合凸部２３と嵌合穴１４ａが嵌合されたところで、第２コネクタ部２１の一面の長手方向の両縁部が、凹部１５の底部と隙間なく配置される。そして、嵌合凸部２３の基端側の外形は、嵌合穴１４ａの内形に合致しているので、第１コネクタ部１２と第２分割テープ取付体２０は、互いにぐらつくことなく連結される。このとき、第１ベース１３及び第２ベース２２の短手方向に直交する断面において、第１ベース１３の凸面１３ｂと第２ベース２２の凹面との間に形成される空間は、検尺テープ４の断面形状に略合致している。
【００３０】
第１及び第２テープ取付体１１Ａ，１１Ｂは、検尺テープ４を第１及び第２コネクタ部１２，２１の間に入れて連結可能となるが、このとき、検尺テープ４の長手方向に関し、測定当接部２５の検尺テープ４の長手方向に沿った方向の一端及び他端を入れ替えることが可能である。つまり、第１及び第２テープ取付体１１Ａ，１１Ｂは、基準面２５ａを検尺テープ４の一端側に向けて検尺テープ４に取り付けるか、基準面２５ａを、検尺テープ４の一端とは逆側に向けて検尺テープ４に取り付けるかを選択できる。
また、計測用穴１３ａは、検尺テープ４を介して第１及び第２コネクタ部１２，２１を嵌合させたときに、検尺テープ４の寸法目盛り６を読み取り可能な形状を有している。
【００３１】
次いで、巻尺用距離測定補助具１０を用いて被測定対象物としての球体の直径を測定する方法を説明する。
図１０はこの発明の一実施の形態に係る巻尺用距離測定補助具と巻尺を用いて球体の直径を測定する方法を説明する図である。
【００３２】
まず、作業者は、第１及び第２テープ取付体１１Ａ，１１Ｂのそれぞれを、第１分割テープ取付体としての第１コネクタ部１２と、第２分割テープ取付体２０とを分離した状態で用意しておく。
そして、第１テープ取付体１１Ａを以下のように検尺テープ４に取り付ける。
図１０において、第１コネクタ部１２の凸面１３ｂと第２ベース２２の凹面との間に検尺テープ４が配置されるように、第１コネクタ部１２及び第２分割テープ取付体２０を配置する。このとき、基準面２５ａが検尺テープ４の先端とは逆側に向けておく。さらに、第２コネクタ部２１が第１コネクタ部１２の凹部１５に挿入される方向に、第１コネクタ部１２及び第２分割テープ取付体２０を互いに押し込んで、嵌合凸部２３と嵌合穴１４ａとを嵌合させ、第１コネクタ部１２と第２分割テープ取付体２０とを一体化する。
【００３３】
同様に、第２テープ取付体１１Ｂを検尺テープ４に取り付ける。このとき、第１及び第２テープ取付体１１Ａ，１１Ｂは、それぞれの基準面２５ａが互いに相対する向きに検尺テープ４に取り付けられている。また、第１及び第２テープ取付体１１Ａ，１１Ｂのそれぞれの第１ベース１３及び第２ベース２２は、検尺テープ４を大きな力で加圧していない。
【００３４】
このため、第１コネクタ部１２及び第２コネクタ部２１により構成されるスライド取付部３０は、上述したように、検尺テープ４にガイドされて検尺テープ４の長手方向にスライド自在となる。
【００３５】
次いで、作業者は、基準面２５ａの間に、球体３１が挟まれるように第１及び第２テープ取付体１１Ａ，１１Ｂを検尺テープ４の長手方向にスライドさせる。そして、第１及び第２テープ取付体１１Ａ，１１Ｂのそれぞれの第１ベース１３に記された読み取り基準線１６に対応する位置に記された検尺テープ４の寸法目盛り６の値を、計測用穴１３ａを介して読み取る。
読み取った２つの寸法目盛り６の値の差が、球体３１の直径となる。
このように、球体３１の表面に、測定当接部２５の基準面２５ａを直接押し当て、基準面２５ａに対応する検尺テープ４の寸法目盛り６を読み取って球体３１の直径としているので、測定された球体３１の直径は、正確な値となる。
なお、被測定対象物は、球体３１のものに限らず、基準面２５ａで挟み込み可能なものであれば、巻尺用距離測定補助具１０を用いて、被測定対象物の表面の２点間距離を正確に、かつ容易に測定可能である。断面円などの湾曲面に形成されている場合でも、被測定対象物の表面の２点間距離を正確に、かつ容易に測定できる。
一方、検尺テープ４のみで、球体３１の直径を測定するには、直接目盛りを測定対象となる部位に配置させることができないので、誤差が生じる。
【００３６】
上記は、球体３１の直径を測定するものとして説明したが、例えば、有底円筒（図示せず）において、開口側の内径が底部側の内径に対してステップ状に大きく変化している場合に、被測定対象物としての有底円筒体の底部側（小径側）の内径を測定する場合について説明する。
【００３７】
即ち、第１及び第２テープ取付体１１Ａ，１１Ｂを、基準面２５ａが互いに反する方向に向くように、検尺テープ４に取り付ける。そして、有底円筒内に、測定当接部２５を挿入し、底部側の内面に、第１及び第２テープ取付体１１Ａ，１１Ｂの基準面２５ａを当たるまで、第１及び第２テープ取付体１１Ａ，１１Ｂを検尺テープ４の長手方向にスライド移動する。
【００３８】
そして、第１及び第２テープ取付体１１Ａ，１１Ｂのそれぞれの第１ベース１３に記された読み取り基準線１６に対応する位置に記された検尺テープ４の寸法目盛り６の値を、計測用穴１３ａを介して読み取る。
読み取った２つの寸法目盛り６の値の差が、円筒の内径となる。
このように、測定当接部２５の基準面２５ａを直接有底円筒体の底部側の内面に押し当て、基準面２５ａに対応する検尺テープ４の目盛りを読み取って、有底円筒の底部側の内径を測定しているので、測定された内径は、正確な値として導き出される。
一方、検尺テープ４のみで、上記のように２段階の直径を有する有底円筒の底部側の直径を測定するには、直接寸法目盛り６を測定対象となる部位に配置させることができないので、誤差が生じる。
【００３９】
この発明の巻尺用距離測定補助具１０によれば、検尺テープ４に着脱自在に取り付けられ、検尺テープ４に対して突出する測定当接部２５をそれぞれ有し、測定当接部２５を検尺テープ４の長手方向に相対させて配置される一対のテープ取付体１１Ａ，１１Ｂを備えている。そして、検尺テープ４の長手方向に相対する一対のテープ取付体１１Ａ，１１Ｂの測定当接部２５の互いに相対する端部が、基準面２５ａとして構成されている。さらに、一対のテープ取付体１１Ａ，１１Ｂは、検尺テープ４の長手方向にスライド可能に、かつ、基準面２５ａの位置に対応する検尺テープ４の部位に記された寸法目盛り６を読み取り可能に検尺テープ４に取り付けられている。
【００４０】
そして、巻尺用距離測定補助具１０を用いれば、上述のように、球体３１の直径を正確に測定することができる。
このとき、検尺テープ４は、巻回されてコンパクトに収納され可能であるので、巻尺１はノギスに比べて小型である。また、巻尺用距離測定補助具１０を構成する第１及び第２テープ取付体１１Ａ，１１Ｂも、検尺テープ４にスライド可能に取り付けられるものであればよく、簡易な構成で小型に作製可能であり、大型のものを用いる必要はない。
【００４１】
特に、大きな球体３１の直径を測定する場合にノギスを用いようとすうと、著しく大型のノギスが必要となり、持ち運びに不便であり、作業者の作業負荷が増大する。
一方、巻尺用距離測定補助具１０を用いれば、球体３１の直径が大きくても、コンパクトにして持ち運び可能な巻尺１を構成する検尺テープ４に取り付けるだけで、球体３１の直径を測定可能であり、巻尺１と小型化されている巻尺用距離測定補助具１０を持ち運ぶときの労力が著しく軽減される。
つまり、巻尺用距離測定補助具１０を用いれば、球体３１等の２点間距離を測定するときの作業者の労力を著しく軽減できる。
【００４２】
また、第１及び第２テープ取付体１１Ａ，１１Ｂのそれぞれは、測定当接部２５の検尺テープ４の長手方向に沿った方向の一端及び他端を入れ替えて、検尺テープ４に取り付けることができる。このため、例えば、被測定対象物の円筒の内径等の２点間距離を測定することも可能となる。
【００４３】
第１及び第２テープ取付体１１Ａ，１１Ｂのそれぞれは、第１コネクタ部１２、第１コネクタ部１２との間に検尺テープ４を挟み込んで、着脱自在に第１コネクタ部１２に取り付けられる第２コネクタ部２１を有し、検尺テープ４に沿った方向にスライド可能なスライド取付部３０を備え、測定当接部２５は、第１及び第２コネクタ部１２，２１の一方に取り付けられている。
このように、巻尺用距離測定補助具１０の巻尺１への取り付け作業は、第１コネクタ部１２と第２コネクタ部２１とを連結するだけであり、容易に行える。
【００４４】
なお、上記実施の形態では、第１及び第２テープ取付体１１Ａ，１１Ｂは、検尺テープ４に着脱自在であるものとして説明したが、第１及び第２テープ取付体１１Ａ，１１Ｂは、検尺テープ４に着脱自在でなくても、たとえば、検尺テープ４が略巻き取られたときに、検尺テープ４からのケース２からの延出部に配置されるように、検尺テープ４に取り付けてあってもよい。
【００４５】
この場合、検尺テープ４の長手方向に相対する一対のテープ取付体１１Ａ，１１Ｂの測定当接部２５の互いに相対する端部を、基準当接部として構成し、少なくとも検尺テープ４の先端から第１テープ取付体１１Ａより離れた位置にある第２テープ取付体１１Ｂを検尺テープ４の長手方向にスライド可能にすれば、第１及び第２テープ取付体１１Ａ，１１Ｂの互いの間の間隔、言い換えれば、基準面２５ａの間隔を調整できる。これにより、被測定対象物としての球体３１の直径等の２点間の距離を測定できる。さらに、もう一対の基準当接部としての基準面を、一対の測定当接部２５の互いに相反する側の端部に構成してもよい。この場合、もう一対の基準面のそれぞれの位置に対応する第１ベース１３の部位にも、読み取り基準線を設けるなどしておけば、もう一対の基準面のそれぞれの位置に対応する検尺テープ４の部位に記された寸法目盛り６を、計測用穴１３ａを介して読み取り可能となる。これにより、もう一対の基準当接部を、例えば、被測定対象物の円筒物の内周面に当接させることで、円筒の内径などの２点間距離を測定することができる。
【００４６】
なお、第１及び第２テープ取付体１１Ａ、１１Ｂは、塩化ビニル樹脂を材料として作製されるものとして説明したが、塩化ビニル樹脂を材料として作製されるものに限定されず、側片１４の弾性が確保され、かつ剛性を有する材料であれば、金属や、他の樹脂材料等で作製されていてもよい。ただし、塩化ビニルなどの樹脂を用いることで、軽量化が実現される。
【符号の説明】
【００４７】
１  巻尺、４  検尺テープ、６  寸法目盛り、１０  巻尺用距離測定補助具、１１Ａ，１１Ｂ  テープ取付体、１２  第１コネクタ部、２１  第２コネクタ部、２５  測定当接部、２５ａ  基準面（基準当接部）、３０  スライド取付部。
【図１】
2012172998.tif 000003
【図２】
2012172998.tif 000004
【図３】
2012172998.tif 000005
【図４】
2012172998.tif 000006
【図５】
2012172998.tif 000007
【図６】
2012172998.tif 000008
【図７】
2012172998.tif 000009
【図８】
2012172998.tif 000010
【図９】
2012172998.tif 000011
【図１０】
2012172998.tif 000012